(57)【要約】  【課題】  従来の光ファイバ心線ホルダは、光ケーブルの端部の被覆層を除去することによって露出された光ファイバ心線のみを保持するものであった。このため、光ケーブルのシース除去際と光ファイバ心線の被覆除去との間隔を短く構成することが出来なく、小型の光コネクタを構成することができなかった。  【解決手段】  押蓋が配置される基台の一面には、この一端から他端に向う直線上に、連続した凹部を有する光ファイバ心線載置部と光ケーブル収納部とが形成されていることを特徴とする。この結果,光ケーブルのシースと露出された光ファイバ心線とを把持するので、光ケーブルのシース除去際と光ファイバ心線の被覆除去との間を十分に短く構成することができ、小型の光コネクタを提供することができる。  【選択図】  図１
2006126487.tif 000002
【特許請求の範囲】
【請求項１】
光ケーブルの端部を挟んで把持する光ケーブルホルダであって、基台と、この基台の一面側に配置される押蓋とからなり、押蓋が配置される基台の一面には、一端から他端に向う直線上に、連続した凹部を有する光ファイバ心線載置部と光ケーブル収納部とが形成されていることを特徴とする光ケーブルホルダ。
【請求項２】
光ケーブル収納部には、光ケーブル収納部に配置される光ケーブルのシース層をその両側から挟んで保持する光ケーブル保持部が配置されていることを特徴とする請求項１に記載の光ケーブルホルダ。
【請求項３】
光ケーブル保持部は、光ケーブル収納部の底部から基台の表面方向に樹立した一対の樹立片により構成され、バネ性を持っていることを特徴とする請求項１又は請求項２に記載の光ケーブルホルダ。
【請求項４】
光ケーブル保持部は、樹脂組成物からなる基台と同一成形による樹脂組成物により構成されていることを特徴とする請求項１乃至請求項３のいずれか１に記載の光ケーブルホルダ。
【請求項５】
光ファイバ心線載置部は、基台の端部に配置されていることを特徴とする請求項１乃至請求項４のいずれか１に記載の光ケーブルホルダ。
【発明の詳細な説明】
【技術分野】
【０００１】
本発明は、光ケーブルの端部を把持して、その光ケーブル内の光ファイバ心線の被覆層を除去してその中の裸光ファイバを露出させたり、その裸光ファイバを一定長に切断するため等に用いられる光ケーブルホルダに関するものである。
【背景技術】
【０００２】
近年、光加入者線路網の構築が急速に進んでいる。一般に、幹線光ケーブルから各家庭などの宅内に引き込むための引き込み用光ケーブルとして図７に示すようなドロップ光ケーブル７が使用されている。
【０００３】
この光ケーブル７は１本の光ファイバ心線又は複数本の光ファイバ心線を寄せ集めて断面が円形又は長方形状に集合した光ファイバ１の両サイドに断面形状が略円形のテンションメンバー２を配置し、更に支持線３を配置し、これら光ファイバ１、テンションメンバー２、及び支持線３に共通にシース４を被せて構成されている。
【０００４】
ここで光ファイバ１に近いシース４の両側面にはそれぞれシース４の切り裂きを容易にするためのノッチ５が形成されている。また支持線３は、光ファイバ１、テンションメンバー２とシース４とで構成された光ケーブル本体部６を保持するためのものであり、光ケーブル本体部６とはシース４のクビレ部４'で連結されている。
【０００５】
また、各家庭などの宅内や構内でのとり回しには図８に示すようなインドア光ケーブル８が使用されている。この光ケーブルは図７の光ケーブル７の光ケーブル本体部６と同一構成のもので、支持線３の部分を取り除くことによって構成することも可能である。
【０００６】
一般的にこれらの光ケーブルには、シース４内に上記のようにテンションメンバー２が配置される。このテンションメンバー２は、従来、鋼線が用いられていたが、最近では落雷時のテンションメンバからのサージ電流の影響を避けるために非金属のものが用いられるようになってきた。
【０００７】
従来、これらの光ケーブルの端部に光コネクタを接続する際には、光ケーブルの端部の被覆層を剥ぎとって、光ファイバ心線を露出させた後、光ファイバフォルダによって前記露出された光ファイバ心線の端部を保持して、光ファイバ端部の被覆層を除去したり、被覆層の除去された裸光ファイバを一定長に切断する処理が行われていた。（例えば特許文献１〜特許文献５）
【０００８】
即ち、これらの光ファイバ心線ホルダは、図９に示すように、光ケーブル８のシース４を除去することによって露出された光ファイバ１（光ファイバ心線）を保持するものである。このため、光ファイバ心線長が少なくとも光ファイバ心線ホルダ９が介在する分の長さＬを残して光ファイバ１の被覆層が除去され、裸光ファイバ１'が露出されることになる。
【０００９】
【特許文献１】特開平５−２２４０２３号公報
【特許文献２】特開２００１−１３３６５３号公報
【特許文献３】特開２００２−１６２５３０号公報
【特許文献４】特開２００３−１８５８８４号公報
【特許文献５】特開２００４−１４５１９６号公報
【発明の開示】
【発明が解決しようとする課題】
【００１０】
しかしながら、光ケーブルに直付けが可能な光コネクタの組立を行う場合には、光コネクタのサイズ縮小などのために、光ケーブルのシース除去際から近い位置にて光ファイバ心線の被覆除去や裸光ファイバの切断を行う必要がある。
【００１１】
このような場合、従来の光ファイバホルダでは、要求される光ケーブルのシース除去際と光ファイバ心線の被覆除去際との間に光ファイバが入りきらず、その間を短く構成することが出来なく、小型の光コネクタを構成することができなかった。
さらに、光ケーブルは概して光ファイバ心線やテープ光ファイバ心線よりも曲げクセが強いために、従来の光ファイバ心線を把持する光ファイバホルダを用いた場合、作業中に光ファイバホルダから光ケーブル及び光ファイバ心線が外れてしまう、又は光ケーブルのシース除去際にて光ファイバが破断してしまうなどの課題があった。
【課題を解決するための手段】
【００１２】
本発明は、かかる点に鑑みなされたもので、光ケーブルのシースと露出された光ファイバ心線との両方を把持する光ケーブルホルダである。
その具体的な本発明の構成は、光ケーブルの端部を挟んで把持する光ケーブルホルダであって、基台と、この基台の一面側に配置される押蓋とからなり、押蓋が配置される基台の一面には、この一端から他端に向う直線上に、連続した凹部を有する光ファイバ心線載置部と光ケーブル収納部とが形成されていることを特徴とする光ケーブルホルダである。
【発明の効果】
【００１３】
本発明の光ケーブルホルダは、光ケーブルのシースと露出された光ファイバ心線との両方を把持するので、光ケーブルのシース除去際と光ファイバ心線の被覆除去との間を十分に短く構成することができ、小型の光コネクタを提供することができる。
【発明を実施するための最良の形態】
【００１４】
光ケーブル収納部には光ケーブル収納部に配置される光ケーブルのシースをその両側から挟んで保持する光ケーブル保持部が配置されていることを特徴とする。これにより、光ファイバを容易に所定の位置に配置させることができる。
【００１５】
光ケーブル収納部には光ケーブル収納部の底部から基台の表面方向に樹立した一対の樹立片により構成され、バネ性を持っていることを特徴とする。これにより、光ケーブルのシースの径が多少異なっていても光ケーブルを把持することができ、更にシースに傷を付けることなく、光ケーブルを把持することができる。
【００１６】
光ケーブル収納部は樹脂組成物からなる基台と同一成形による樹脂組成物により構成されていることを特徴とする。これにより、容易に本光ケーブルホルダを射出成形法などにより製造することができる。
【００１７】
光ファイバ心線載置部は基台の端部に配置されていることを特徴とする。これにより、より一層、光ケーブルのシース除去際と光ファイバ心線の被覆除去との間を短く構成することができる。
【実施例１】
【００１８】
以下本発明を図示した実施例により説明する。図１は本発明の一実施例を示す光ケーブルホルダ１０の斜視図であり、同図において、２０は基台、３０は基台２０の一面２１に配置される押蓋である。
【００１９】
押蓋３０が配置される基台２０の一面２１には、一端２２から他端２３に向う直線２４上に、連続した凹部を有する光ファイバ心線載置部２５と光ケーブル収納部２６とが形成され、光ケーブル収納部２６には光ケーブル収納部２６に配置される図示しない光ケーブルのシースをその両側から挟んで保持する光ケーブル保持部２７が配置されている。
【００２０】
光ケーブル保持部２７は、光ケーブルを光ケーブル収納部２６の全体にわたって配置させても良く、図示のように光ケーブル収納部２６の一部に設置しても良い。後者の場合、光ケーブルの曲がりクセを光ケーブル収納部２６内で矯正し、かつ光ケーブル収納部２６内に設置された光ケーブル保持部２７によって光ケーブルの把持を行うので、光ケーブルの保持強度等をより綿密に行うことができる。これにより、例えば光ケーブルを仮固定した後に、コネクタ組立において要求されるファイバ心線長や被覆除去長を達成するよう光ケーブル位置を微調整することが可能となり、光コネクタ組立等の作業性および精密性を向上させることができる。
【００２１】
基台２０の一面２１と向き合う押蓋３０は、図示しない蝶番により基台２０の側面にて回動可能に取り付けられ、基台２０の一面２１上を覆うことができるようになっている。
基台２０の一面２１と向き合う押蓋３０の一面３１には、光ファイバ心線押部３２と光ケーブル収納部３３とが形成されており、それぞれは押蓋３０が基台２０上を覆った際に、光ファイバ心線載置部２５と光ケーブル収納部２６とをそれぞれ覆うように構成され、光ファイバ心線載置部２５で図示しない光ケーブルの光ファイバ心線を保持し、光ケーブル収納部２６と光ケーブル収納部３３とで図示しない光ケーブルをシースを含めて収納できる光ケーブル収納空隙が形成される。
この際、光ファイバ心線載置部２５は、光ケーブルが収納する本数の光ファイバ心線を保持できる構造になっている。
【００２２】
光ケーブル保持部２７は、図２及び図３に示すように、光ケーブル収納部２６の一部に形成された幅広スペース部分に光ケーブル収納部２６の底２８からその表面方向に樹立するように一対形成されている。また、一対の光ケーブル保持部２７の間隔は、図４に示すように、光ケーブル収納部２６に配置される光ケーブル４０のシース４１の幅よりも若干狭く形成され、一対の光ケーブル保持部２７の間に光ケーブル４０が配置した場合に、一対の光ケーブル保持部２７の間隔は互いに押し広げられ、その反作用により光ケーブル４０を固定・保持できるようになっている。
【００２３】
このような光ケーブルホルダ１０で光ケーブル４０の端部を把持するには、図７図及び図８に示すシース４、支持線３及びテンションメンバー２などが予め除去されて、一定長の光ファイバ心線が露出された光ケーブル４０が形成され、その後に、この光ケーブル４０のシース４１部分を前記図３のように光ケーブル収納部２６内に配置し、更に露出された光ファイバ心線４２を光ファイバ心線載置部２５に配置し、その後に押蓋３０を閉じて光ケーブル４０及び光ファイバ心線４２を保持する。その後、図示しない光ファイバ心線被覆除去具や裸光ファイバ切断器のアダプタ収納部に本光ケーブルホルダを配置して、光ファイバ心線の被覆除去や、裸光ファイバの切断がなされる。
【００２４】
この際、本光ケーブルホルダ１０によって光ファイバ心線４２及び光ケーブル４０の両方が把持されるので、光ケーブルのシース除去際と光ファイバ心線の被覆除去との間を短く構成することができる。
このような光ケーブルホルダ１０を構成する基台２０や押蓋３０は成形金型内にポリブチレンテレフタレート（ＰＢＴ）などの樹脂を射出成形することにより、簡単に製造することができる。
【実施例２】
【００２５】
図５は本発明の他の実施例を示すものであり、一対の光ケーブル保持部２７の内側に、それぞれ互いに向き合う半円形の凸条２９が形成された場合を示すものである。これにより、光ケーブルのシースに対してより一層、傷を付けることなく光ケーブルを保持することができる。
【実施例３】
【００２６】
図６は本発明の更に他の実施例を示すもので、一対の光ケーブル保持部２７の内側に、それぞれ互いに向き合う片面のみになす角を持つ三角形状の凸条２９'が形成された場合を示すものである。
凸条がこのように形成された場合は、光ケーブルを光ケーブル保持部２７に配置させた状態で、図示の矢印３５方向に光ケーブルを容易に移動させることができ、その逆方向には容易に移動させることができない。このため、光ケーブルのシース際等を光ファイバ心線保持部２５側に隙間なく移動させて配置させることができる。
【図面の簡単な説明】
【００２７】
【図１】本発明の一実施例を示す斜視図。
【図２】図１の要部拡大平面図。
【図３】図２のＡ−Ａ’線における拡大断面図。
【図４】本発明の一実施例における動作説明図。
【図５】本発明の他の一実施例における要部平面図。
【図６】本発明の更に異なる実施例における要部平面図。
【図７】一般的な光ケーブルの一例を示す端面図。
【図８】一般的な他の光ケーブルの一例を示す端面図。
【図９】従来の光ファイバホルダの配置を説明するための説明図。
【符号の説明】
【００２８】
１０    光ケーブルホルダ
２０    基台
２１    一面
２２    一端
２３    他端
２４    直線
２５    凹部
２５    光ファイバ心線載置部
２６    光ケーブル収納部
２７    光ケーブル保持部
２８    底
３０    押蓋
３１    一面
３２    光ファイバ心線押部
３３    光ケーブル収納部
３５    矢印
４０    光ケーブル
４１    シース
４２    光ファイバ心線
【図１】
2006126487.tif 000003
【図２】
2006126487.tif 000004
【図３】
2006126487.tif 000005
【図４】
2006126487.tif 000006
【図５】
2006126487.tif 000007
【図６】
2006126487.tif 000008
【図７】
2006126487.tif 000009
【図８】
2006126487.tif 000010
【図９】
2006126487.tif 000011